(57)【特許請求の範囲】
【請求項１】
所定間隙毎に吊設されてその水平片によりケーブルラックを支持するＬ型アングルに装着されるラック用仮設足場材であって、
上記Ｌ型アングルの水平片が内部に挿入されるコ字状断面の把持部を有する保持枠と、
上記水平片が上記把持部に挿入された上記Ｌ型アングルを上記保持枠に固定する固定手段と、
上記保持枠から上記水平片と平行に上記ケーブルラックの少なくとも一側に延出する足場板支持材と
を備えたことを特徴とするラック用仮設足場材。
【請求項２】
上記保持枠は、上記足場板支持材が挿入される挿入孔を有する筒状の保持部と、コ字状溝の長さ方向が上記挿入孔の孔中心と平行となるように上記保持部の一側上部に一体に形成された上記把持部とを有することを特徴とする請求項１記載のラック用仮設足場材。
【請求項３】
上記保持枠は、上記保持部の一側に一体に形成され、上記水平片を上記把持部に挿入された上記Ｌ型アングルの鉛直片の先端部を支持する支持腕を備えていることを特徴とする請求項２記載のラック用仮設足場材。
【請求項４】
上記保持枠は、上記保持部の一側に一体に形成され、上記把持部のコ字状溝の深さ方向と略直交する面を有する受部がその先端部に設けられ、上記水平片を上記把持部に挿入された上記Ｌ型アングルの鉛直片の内壁面を該受部で受けて該Ｌ型アングルを支持する支持腕を備えていることを特徴とする請求項２記載のラック用仮設足場材。
【請求項５】
上記受部と上記把持部の下片とが略Ｌ字状の外径形状を有する一体物に作製されていることを特徴とする請求項４記載のラック用仮設足場材。
【請求項６】
スライドレールが上記保持部の挿入孔の内壁面に長さ方向に延設され、該スライドレールに係合する溝が上記足場板支持材の外壁面に長さ方向に延設されていることを特徴とする請求項２記載のラック用仮設足場材。
【請求項７】
上記保持部の挿入孔は矩形断面に形成され、上記スライドレールがこの挿入孔の四辺にそれぞれ形成され、上記足場板支持材は上記挿入孔の内径形状に略一致した外径形状に形成され、上記スライドレールに係合する溝が上記足場板支持材の四辺にそれぞれ形成されていることを特徴とする請求項６記載のラック用仮設足場材。
【請求項８】
相対する辺に形成された上記スライドレール同士が上記挿入孔の孔中心に対して対称に形成され、かつ、相対する辺に形成された上記溝同士が上記足場板支持材の軸心に対して対称に形成されていることを特徴とする請求項７記載のラック用仮設足場材。
【請求項９】
上記保持枠と上記足場板支持材とは、別体で構成され、スライドレールが上記保持枠と上記足場板支持材との一方に長さ方向の全域にわたって形成され、該スライドレールに嵌合する溝が上記保持枠と上記足場板支持材との他方に長さ方向の全域にわたって形成されていることを特徴とする請求項１記載のラック用仮設足場材。
【請求項１０】
上記保持枠および上記足場板支持材が引き抜き加工材であることを特徴とする請求項２乃至請求項９のいずれかに記載のラック用仮設足場材。
【請求項１１】
上記固定手段は、上記把持部に回動自在に装着された偏心カムであることを特徴とする請求項１記載のラック用仮設足場材。
【請求項１２】
上記固定手段は、上記支持腕から下方に延設された取付片と、一端側が上記取付片に上記把持部のコ字状溝の深さ方向と平行な第１の軸周りに回動自在に取り付けられた第１の押さえ板と、一端側が上記取付片に上記把持部のコ字状溝の深さ方向と平行で、かつ、該コ字状溝の長さ方向に上記第１の軸から所定距離離れた第２の軸周りに回動自在に取り付けられた第２の押さえ板と、上記第１および第２の押さえ板に立設された軸周りに回動自在に取り付けられて上記第１および第２の押さえ板を連結する連結板と、上記把持部の上片の上記第１および第２の軸に対応する位置にそれぞれ穿設され、上記第１および第２の押さえ板の回動動作時に該第１および第２の押さえ板の他端側が挿通される第１および第２の係止穴と、上記第１および第２の押さえ板の他端に固着され、上記第１および第２の押さえ板の他端側が上記第１および第２の係止穴に挿入されたときに、上記把持部の上片に係合して第１および第２の押さえ板を係止する第１および第２の係止片とを備えていることを特徴とする請求項３乃至請求項５のいずれかに記載のラック用仮設足場材。
【請求項１３】
上記第１および第２の押さえ板は、その他端側が上記第１および第２の係止穴に挿入されたときに、上記水平片を上記把持部に挿入された上記Ｌ型アングルの鉛直片を上記保持部側に押圧するように構成されていることを特徴とする請求項１２記載のラック用仮設足場材。
【請求項１４】
上記保持枠と上記足場板支持材とが一体に形成されていることを特徴とする請求項１記載のラック用仮設足場材。
【請求項１５】
上記コ字状断面の把持部が上記足場板支持材を挟んで両側に形成されていることを特徴とする請求項１４記載のラック用仮設足場材。
【発明の詳細な説明】
【０００１】
【発明の属する技術分野】
この発明は、例えばプラント建設におけるケーブル布設作業時に作業用足場をケーブルラック横に仮設する際に用いられるラック用仮設足場材に関するものである。
【０００２】
【従来の技術】
図１９はケーブルラックの設置状態を示す斜視図である。
図１９において、ケーブルラック１は、一対の親桁１ａを互いに平行に配置し、子桁１ｂにより一対の親桁１ａの底部間を所定間隔毎に連結して構成されている。そして、一対の吊りボルト２がケーブルの延線経路に沿って所定間隔毎に天井から吊り下げられ、Ｌ型アングル３が各一対の吊りボルト２の下端に装着されている。このように空中に所定間隔毎に吊設されたＬ型アングル３上にケーブルラック１が連ねて載せられ、隣接するケーブルラック１の端部同士が継ぎ金具４およびボルト５により連結され、さらにケーブルラック１の親桁１ａが振れ止め金具６によりＬ型アングル３に固着されて、ケーブルの延線経路に沿ってケーブルラック１が設置されている。
【０００３】
このように設置されたケーブルラック１への従来のケーブル布設作業について図２０を参照しつつ説明する。
まず、天井７から吊設されたケーブルラック１の延設経路に沿って床８の上に、単管９ａからなる単管足場９を所定間隔毎に組み上げる。そして、単管足場９間に鋼板からなる足場板１０を架設する。その後、作業者が足場板１０にのり、ケーブル１１をケーブルラック１内に収納・整線して、布設する。そして、ケーブル１１の布設作業が完了すれば、足場板１０を取り外し、単管足場９を解体、撤去する。
【０００４】
ここで、ケーブルラック１は、図１９に示されるように、所定間隔毎に天井から吊設された一対の吊りボルト２の下端に装着されたＬ型アングル３上に連ねて載せられ、Ｌ型アングル３に固着されてケーブルの延線経路に沿って設置されているものとして説明しているが、図２１および図２２に示されるように延線経路に沿って設置されている場合もある。
図２１はケーブルラックの他の設置状態を示す斜視図である。この場合、吊りボルト２に代えてＬ型アングル１２が対をなして所定間隔毎に天井から吊設され、Ｌ型アングル３が対をなすＬ型アングル１２の下端に固定ねじ１３を用いて固着され、ケーブルラック１がＬ型アングル３上に連ねて載せられ、Ｌ型アングル３に振れ止め金具６を用いて固着されてケーブルの延線経路に沿って設置されている。
図２２はケーブルラックのさらに他の設置状態を示す斜視図である。この場合、サポート板１４がケーブルの延線経路に沿った壁面に所定間隔毎に取り付けられ、Ｌ型アングル３が水平に各サポート板１４に溶着され、さらに補強用のＬ型アングル１５がサポート板１４とＬ型アングル３とに溶着されている。そして、ケーブルラック１がＬ型アングル３上に連ねて載せられ、Ｌ型アングル３に振れ止め金具６を用いて固着されてケーブルの延線経路に沿って設置されている。
【０００５】
図２１および図２２に示されるように設置されたケーブルラック１においても、図２０に示されるように、ケーブルラック１の延設経路に沿って床８の上に、単管９ａからなる単管足場９が所定間隔毎に組み上げられ、鋼板からなる足場板１０が単管足場９間に架設され、その後作業者が足場板１０にのり、ケーブル１１をケーブルラック１内に収納・整線して、布設することになる。
【０００６】
【発明が解決しようとする課題】
従来のケーブル布設作業は以上のように、空中に延設されたケーブルラック１に沿って床８上に多数の単管足場９を組み上げ、単管足場９間に足場板１０を架設して行われていた。
そこで、足場材料が多く必要となり、足場材料の作業場所への搬入、足場の組立、解体、並びに作業場所からの撤去に多くの労力を要するとともに、工費が増大してしまうという課題があった。
また、単管足場９の組立、解体にスパナ等の手工具が必要となり、作業負荷が増大してしまうという課題もあった。
また、床８上に据え付けられた単管足場９の占有するスペースが多く、かつ、長期にわたって必要となり、人や車の通路の障害となるとともに、ケーブルラック１の下における機械配管工事等の他の工事が遅れ、工期が長期化するという課題もあった。
さらに、機械用配管、機器、配水管などの施設がケーブルラック１の延設経路の下に既設されている場合には、これらの既設設備を避けて単管足場９を組み立てる必要があり、その分足場材料が多くなり、足場材料の作業場所への搬入、足場の組立、解体、並びに作業場所からの撤去の労力および工費がさらに増大してしまう。
【０００７】
この発明は、上記のような課題を解決するためになされたもので、ラック支持用のＬ型アングルを利用して空中に足場を組み立てられるようにし、床上に据え付けられる単管足場を不要とし、さらにはケーブルラック下のスペースを解放し、単管足場の組立、解体作業の労力をなくし、工費の削減が図られ、人や車の通路を確保できるとともに、他の工事への障害を抑えることができるラック用仮設足場材を得ることを目的とする。
【０００８】
【課題を解決するための手段】
この発明に係るラック用仮設足場材は、所定間隙毎に吊設されてその水平片によりケーブルラックを支持するＬ型アングルに装着されるラック用仮設足場材であって、上記Ｌ型アングルの水平片が内部に挿入されるコ字状断面の把持部を有する保持枠と、上記水平片が上記把持部に挿入された上記Ｌ型アングルを上記保持枠に固定する固定手段と、上記保持枠から上記水平片と平行に上記ケーブルラックの少なくとも一側に延出する足場板支持材とを備えたものである。
【０００９】
また、上記保持枠は、上記足場板支持材が挿入される挿入孔を有する筒状の保持部と、コ字状溝の長さ方向が上記挿入孔の孔中心と平行となるように上記保持部の一側上部に一体に形成された上記把持部とを有するものである。
【００１０】
また、上記保持枠は、上記保持部の一側に一体に形成され、上記水平片を上記把持部に挿入された上記Ｌ型アングルの鉛直片の先端部を支持する支持腕を備えているものである。
【００１１】
また、上記保持枠は、上記保持部の一側に一体に形成され、上記把持部のコ字状溝の深さ方向と略直交する面を有する受部がその先端部に設けられ、上記水平片を上記把持部に挿入された上記Ｌ型アングルの鉛直片の内壁面を該受部で受けて該Ｌ型アングルを支持する支持腕を備えているものである。
【００１２】
また、上記受部と上記把持部の下片とが略Ｌ字状の外径形状を有する一体物に作製されているものである。
【００１３】
また、スライドレールが上記保持部の挿入孔の内壁面に長さ方向に延設され、該スライドレールに係合する溝が上記足場板支持材の外壁面に長さ方向に延設されているものである。
【００１４】
また、上記保持部の挿入孔は矩形断面に形成され、上記スライドレールがこの挿入孔の四辺にそれぞれ形成され、上記足場板支持材は上記挿入孔の内径形状に略一致した外径形状に形成され、上記スライドレールに係合する溝が上記足場板支持材の四辺にそれぞれ形成されているものである。
【００１５】
また、相対する辺に形成された上記スライドレール同士が上記挿入孔の孔中心に対して対称に形成され、かつ、相対する辺に形成された上記溝同士が上記足場板支持材の軸心に対して対称に形成されているものである。
【００１６】
また、上記保持枠と上記足場板支持材とは、別体で構成され、スライドレールが上記保持枠と上記足場板支持材との一方に長さ方向の全域にわたって形成され、該スライドレールに嵌合する溝が上記保持枠と上記足場板支持材との他方に長さ方向の全域にわたって形成されているものである。
【００１７】
また、上記保持枠および上記足場板支持材が引き抜き加工材である。
【００１８】
また、上記固定手段は、上記把持部に回動自在に装着された偏心カムである。
【００１９】
また、上記固定手段は、上記支持腕から下方に延設された取付片と、一端側が上記取付片に上記把持部のコ字状溝の深さ方向と平行な第１の軸周りに回動自在に取り付けられた第１の押さえ板と、一端側が上記取付片に上記把持部のコ字状溝の深さ方向と平行で、かつ、該コ字状溝の長さ方向に上記第１の軸から所定距離離れた第２の軸周りに回動自在に取り付けられた第２の押さえ板と、上記第１および第２の押さえ板に立設された軸周りに回動自在に取り付けられて上記第１および第２の押さえ板を連結する連結板と、上記把持部の上片の上記第１および第２の軸に対応する位置にそれぞれ穿設され、上記第１および第２の押さえ板の回動動作時に該第１および第２の押さえ板の他端側が挿通される第１および第２の係止穴と、上記第１および第２の押さえ板の他端に固着され、上記第１および第２の押さえ板の他端側が上記第１および第２の係止穴に挿入されたときに、上記把持部の上片に係合して第１および第２の押さえ板を係止する第１および第２の係止片とを備えているものである。
【００２０】
また、上記第１および第２の押さえ板は、その他端側が上記第１および第２の係止穴に挿入されたときに、上記水平片を上記把持部に挿入された上記Ｌ型アングルの鉛直片を上記保持部側に押圧するように構成されているものである。
【００２１】
また、上記保持枠と上記足場板支持材とが一体に形成されているものである。
【００２２】
また、上記コ字状断面の把持部が上記足場板支持材を挟んで両側に形成されているものである。
【００２３】
【発明の実施の形態】
以下、この発明の実施の形態を図について説明する。
実施の形態１．
図１はこの発明の実施の形態１に係るラック用仮設足場材を示す分解斜視図、図２はこの発明の実施の形態１に係るラック用仮設足場材の保持枠を示す側面図である。
図１および図２において、ラック用仮設足場材１００は、Ｌ型アングル３に取り付けられる保持枠２０と、この保持枠２０からＬ型アングル３と平行に延出されて足場板を支持する足場板支持材３０とから構成されている。
保持枠２０は、アルミの引き抜き加工により作製され、足場板支持材３０を挿入するための矩形断面の挿入孔２１ａが設けられた中空の保持部２１と、この保持部２１の一側上部に一体に設けられ、Ｌ型アングル３の水平片３ａを挿入するための溝２２ａが上片２２ｃと下片２２ｂとにより構成された断面コ字状の把持部２２と、保持枠２１の一側側面から外方に延設され、Ｌ型アングル３の鉛直片３ｂの先端部を受ける支持腕２３と、把持部２２の下片２２ｂの端面に回動可能に装着され、溝２２ａ内に挿入されたＬ型アングル３の水平片３ａを噛んでＬ型アングル３の抜けを阻止する固定手段としての偏心カム２４とを備えている。さらに、保持枠２１の他側の側面には、挿入孔２１ａに挿入された足場板支持材３０を固定するための固定ねじ２５が螺着されている。
保持部２１の挿入孔２１ａは把持部２２の溝２２ａの長さ方向と平行であり、挿入孔２１ａの壁面には、４つのスライドレール２１ｂ〜２１ｅが上下左右に挿入孔２１ａの孔中心と平行に長さ方向の全域にわたって延設されている。そして、上下のスライドレール２１ｂ、２１ｃが挿入孔２１ａの孔中心に対して対称に、左右のスライドレール２１ｄ、２１ｅが挿入孔２１ａの孔中心に対して対称に形成されている。また、支持腕２３の先端部には突起２３ａが設けられ、突起２３ａの端面である受部２３ｂと支持腕２３の先端面である受部２３ｃとにより２種類のＬ型アングル３の鉛直片３ｂの先端部を受けることができるようになっている。
【００２４】
足場板支持材３０は、アルミの引き抜き加工により保持部２１の挿入孔２１ａの内径形状と略一致する矩形外径形状の中空角棒体に作製されている。この足場板支持材３０の各外壁面には、上述のスライドレール２１ｂ〜２１ｅに嵌合する溝３０ａ〜３０ｄが長さ方向に長さ方向の全域にわたって延設されている。また、これらの溝３０ａ〜３０ｄの底部は径大に形成されている。さらに、足場板支持材３０の両端部に後述する手すり支持用の貫通穴３０ｅ、３０ｆが形成されている。
【００２５】
つぎに、このラック用仮設足場材１００を用いたケーブル布設作業について説明する。
保持枠２０は、図２に示されるように、Ｌ型アングル３の水平片３ａが溝２２ａ内に納まるように、水平片３ａの先端側からＬ型アングル３に押し付けて装着される。この時、保持枠２０は、偏心カム２４が水平片３ａにより図３中時計回りに回動されつつ、受部２３ｂが鉛直片３ｂの先端部に当接するまでＬ型アングル３に挿入される。そして、保持枠２０を引き抜こうとすると、偏心カム２４が水平片３ａに噛み合って締着固定され、保持枠２０の抜けが阻止されている。また、受部２３ｂが鉛直片３ｂの先端部に当接し、保持枠２０の図２中時計回りの回動が阻止されている。
なお、保持枠２０は、偏心カム２４を図３中時計回りに若干回動して偏心カム２４による水平片３ａの締着を解除し、その状態を維持して、引き抜くことになる。そして、引き抜かれた保持枠２０においては、偏心カム２４は中心軸が偏心しているので、図３中反時計回りに回動し、初期状態に戻る。また、この実施の形態１では、支持腕２３の先端部に２つの受部２３ｂ、２３ｃが設けられているので、図２中一点鎖線で示されるように、受部２３ｃが大きなＬ型アングルの先端部に当接でき、異なる大きさのＬ型アングルにも装着できる。
【００２６】
ついで、足場板支持材３０を保持枠２０の保持部２１の挿入孔２１ａに挿入し、固定ねじ２５を締着して、足場板支持材３０を保持部２１（保持枠２０）に固定して、ラック用仮設足場材１００が仮設される。この時、溝３０ａ〜３０ｄがそれぞれスライドレール２１ｂ〜２１ｅに嵌合し、スライドレール２１ｂ〜２１ｅに案内されて、足場板支持材３０が挿入孔２１ａにスムーズに挿入される。そして、図４に示されるように、保持枠２０はケーブルラック１を支持するＬ型アングル３の水平片３ａの中央部に装着され、保持枠２０に装着された足場板支持材３０はケーブルラック１の一側に延出している。さらに、手すり用支柱４０が足場板支持材３０の貫通孔３０ｅに挿入固定される。
【００２７】
このラック用仮設足場材１００は、ケーブルラック１の延設経路に沿って所定間隔毎に仮設される。そして、足場板４１を隣り合うラック用仮設足場材１００に架設する。ついで、図５に示されるように、固定金具４３の先端の抜け止め片４３ｂの長手方向を溝３０ａに一致させて隣り合う足場板４１の隙間から溝３０ａ内に挿入し、その後９０度回した後、蝶ナット４３ｂを締着して、足場板４１を足場板支持材３０に固定する。さらに、手すり用管材（図示せず）を隣り合う手すり用支柱４０間に架設して、足場がケーブルラック１の延設経路に沿って中空に仮設される。その後、作業者が足場板４１にのり、ケーブルをケーブルラック１内に収納・整線して、布設する。そして、ケーブルの布設作業が完了すれば、作業者がケーブルラック１の延設経路の一端側から他端側に移動しつつ手すり用支柱４０、手すり用管材、足場板４１、ラック用仮設足場材１００等を順次取り外して、足場を解体、撤去する。
【００２８】
このように、この実施の形態１によれば、天井から吊設されたＬ型アングル３の水平片３ａが内部に挿入されるコ字状断面の把持部２２を有する保持枠２０と、把持部２２の端面に回動自在に装着され、把持部２２に挿入された水平片３ａを固定する偏心カム２４と、保持枠２０から水平片３ａと平行にケーブルラック１の一側に延出する足場板支持材３０とを備えているので、ケーブルラック１の延設経路に沿って足場板支持材３０を仮設でき、この足場板支持材３０を使用して空中に足場を仮設することができる。そこで、床上に据え付けられる単管足場が不要となり、さらにはケーブルラック１下のスペースが解放されるので、単管足場の組立、解体作業の労力がなくなり、工費の削減が図られ、人や車の通路を確保できるとともに、他の工事への障害を抑えることができるという効果が得られる。さらに、スパナ等の手工具を用いることなくワンタッチで保持枠２０をＬ型アングル３に着脱できるので、保持枠２０の取付、取り外しの作業負荷が著しく軽減できるとともに、作業者が腰ベルト等に手工具を持つ必要がなく、高所での保持枠２０の取付、取り外しの作業性を向上させることができる。
【００２９】
また、保持枠２０は、足場板支持材３０が挿入される挿入孔２１ａを有する筒状の保持部２１と、この保持部２１の一側上部に一体に形成された把持部２２とから構成されているので、足場板支持材３０の延出方向を任意に選択できる。そこで、ケーブルラック１が壁際に延設されているような場合にも、反壁側に足場板支持材３０を延出させることができ、またＬ型アングル３の向きに関わらず、任意の方向に足場板支持材３０を延出させることができるので、優れた汎用性が得られる。
また、保持部２１の一側に支持腕２３が延設され、Ｌ型アングル３の鉛直片３ｂの先端部を支持するようになっているので、保持枠２０のＬ型アングル３周りの回動が阻止され、安定性を向上させることができる。
また、支持腕２３の先端部に受部２３ｂ、２３ｃが設けられているので、片の長さが異なる２種類のＬ型アングル３に適用でき、優れた汎用性が得られる。
【００３０】
また、スライドレールが保持部２１の挿入口２１ａの内壁面に設けられ、スライドレールに嵌合する溝が足場板支持材３０の外壁面に設けられているので、溝がスライドレールに嵌合し、足場板支持材３０がスライドレールを案内にして挿入孔２１ａに挿入され、組立性を向上させることができる。
また、挿入孔２１ａが矩形断面に形成され、スライドレール２１ｂ〜２１ｅが挿入孔２１ａの各辺に設けられ、足場板支持材３０が挿入孔２１ａの内径形状に略一致した外径形状に形成され、溝３０ａ〜３０ｄが足場板支持材３０の各辺に設けられているので、上下のスライドレール２１ｂ、２１ｃと上下の溝３０ａ、３０ｂとの嵌合により左右方向のがたつきが防止され、左右のスライドレール２１ｄ、２１ｅと左右の溝３０ｃ、３０ｄとの嵌合により上下方向のがたつきが防止され、安定性を向上させることができる。
また、スライドレール２１ｂ、２１ｃ同士およびスライドレール２１ｄ、２１ｅ同士がそれぞれ挿入孔２１ａの孔中心に対して対称に形成され、溝３０ａ、３１ｂ同士および溝３０ｃ、３０ｄ同士がそれぞれ足場板支持材３０の軸心に対して対称に形成されているので、足場板支持材３０を１８０度回転させても挿入孔２１ａに挿入できるようになり、組立性を向上させることができる。
【００３１】
また、保持枠２０および足場板支持材３０がアルミの引き抜き加工材であるので、機械加工がほとんどなくなり、歩留まりが高まり、安価に作製できるとともに、軽量化が図られ、作業労力を大幅に低減させることができる。
【００３２】
なお、ラック用足場の仮設は高所での作業となるので、上述の組立性の向上や軽量化による作業負荷の軽減効果は大きい。
また、Ｌ型アングル３の水平片３ａとケーブルラック１の子桁１ｂとの隙間は１０ｍｍ程度であるが、把持部２２をコ字状断面に形成しているので、把持部２２の水平片３ａからの突出高さを低くでき、子桁１ｂと干渉することなく、Ｌ型アングル３の水平片３ａに装着することができる。
また、足場板支持材３０の上面はケーブルラック１の親桁１ａの底部との干渉を避けるように、一段低くなっている。
また、上記実施の形態１では、一対の親桁１ａを互いに平行に配置し、子桁１ｂにより一対の親桁１ａの底部間を所定間隔毎に連結して構成されたケーブルラック１を用いるものとしているが、ケーブルラックはこれに限定されるものではなく、例えば互いに平行な一対の側板の底部を底板で塞ぐように構成されたケーブルラックでもよい。
また、上記実施の形態１では、保持枠２０および足場支持材３０をアルミの引き抜き加工材で作製するものとしているが、引き抜き加工材はアルミに限定されるものではなく、例えば鉄等の金属、グラファイト樹脂、エンジニアリングプラスチックを用いても同様の効果が得られる。
また、上記実施の形態１では、保持枠２０および足場支持材３０を引き抜き加工で作製するものとしているが、保持枠２０および足場支持材３０は引き抜き加工に限らず、折り曲げ加工、切削加工等で作製してもよいことはいうまでもないことである。
また、上記実施の形態１では、支持腕２３の先端部に２つの受部２３ｂ、２３ｃを設けるものとしているが、支持腕２３の先端部にさらに受部を１つ以上設けてもよい。この場合、片の長さが異なる３種類もしくはそれ以上のＬ型アングルに適用でき、さらに汎用性を高めることができる。
【００３３】
実施の形態２．
図６はこの発明の実施の形態２に係るラック用仮設足場材の構成を示す側面図である。
図６において、ラック用仮設足場材１０１は、Ｌ型アングル３に取り付けられる保持枠５０と、この保持枠５０からＬ型アングル３と平行に延出されて足場板を支持する足場板支持材５５とから構成されている。
保持枠５０は、アルミの引き抜き加工により作製され、足場板支持材５５を装着するためのスライドレール５１ａが他側に設けられた保持部５１と、この保持部５１の一側上部に一体に設けられ、Ｌ型アングル３の水平片３ａを挿入するための溝５２ａが上片５２ｃと下片５２ｂとにより構成された断面コ字状の把持部５２と、保持枠５１の一側側面から外方に延設され、Ｌ型アングル３の鉛直片３ｂの先端部を受ける支持腕５３と、把持部５２の下片５２ｂの端面に回動可能に装着され、溝５２ａ内に挿入されたＬ型アングル３の水平片３ａを噛んでＬ型アングル３の抜けを阻止する固定手段としての偏心カム２４とを備えている。さらに、保持枠５１の一側の側面には、装着された足場板支持材５５を固定するための固定ねじ２５が螺着されている。
保持部５１のスライドレール５１ａは把持部５２の溝５２ａと平行であり、保持部５１の他側の壁面に長さ方向の全域にわたって延設されている。また、支持腕５３の先端部には突起５３ａが設けられ、突起５３ａの端面である受部５３ｂと支持腕５３の先端面である受部５３ｃとにより２種類のＬ型アングル３の鉛直片３ｂの先端部を受けることができるようになっている。
【００３４】
足場板支持材５５は、アルミの引き抜き加工により中空角棒体に作製され、左右の外壁面には、保持部５１のスライドレール５１ａの外径形状と略一致する内径形状の溝５５ａ〜５５ｄが長さ方向の全域にわたって延設されている。また、上下の外壁面には、溝５５ｅ、５５ｆが長さ方向の全域にわたって延設されている。また、溝５５ｅ、５５ｆの底部は径大に形成されている。さらに、足場板支持材５５の両端部には、図示していないが、手すり支持用の貫通穴が形成されている。
【００３５】
このように構成されたラック用仮設足場材１０１は、まず保持枠５０が、Ｌ型アングル３の水平片３ａが溝５２ａ内に納まるように、水平片３ａの先端側からＬ型アングル３に押し付けて装着される。この時、偏心カム２４が水平片３ａに噛み合って締着固定され、保持枠５０の抜けが阻止されている。また、受部５３ｂが鉛直片３ｂの先端部に当接し、保持枠５０のＬ型アングル３周りの回動が阻止されている。
なお、このラック用仮設足場材１０１においても、支持腕５３の先端部に２つの受部５３ｂ、５３ｃが設けられているので、受部５３ｃが大きなＬ型アングルの先端部に当接でき、異なる大きさのＬ型アングルにも装着できる。
【００３６】
ついで、足場板支持材５５の溝５５ａ、５５ｂを保持枠５０の保持部５１のスライドドレール５１ａに嵌合させ、スライドレール５１ａを案内にして、スライド移動させ、固定ねじ２５を締着して、足場板支持材５５を保持部５１（保持枠５０）に固定して、ラック用仮設足場材１０１が仮設される。なお、保持枠５０に装着された足場板支持材５５はケーブルラック１の一側に延出している。さらに、手すり用支柱が足場板支持材５５の貫通孔に挿入固定される。
【００３７】
このラック用仮設足場材１０１は、ケーブルラック１の延設経路に沿って所定間隔毎に仮設される。そして、足場板４１を隣り合うラック用仮設足場材１０１に架設する。ついで、足場板４１を足場板支持材５５に固定し、さらに、手すり用管材を隣り合う手すり用支柱間に架設して、足場がケーブルラック１の延設経路に沿って中空に仮設される。
従って、この実施の形態２においても、上記実施の形態１と同様の効果が得られる。
【００３８】
なお、上記実施の形態２では、スライドレール５１ａが保持部５１に設けられ、溝５５ａ、５５ｂが足場板支持材５５に設けるものとしているが、スライドレールが足場板支持材５５に設けられ、溝が保持部５１に設けられても同様の効果が得られる。
【００３９】
実施の形態３．
図７はこの発明の実施の形態３に係るラック用仮設足場材を示す斜視図である。
図７において、ラック用仮設足場材１０２は、Ｌ型アングル３に取り付けられる保持枠６０と、この保持枠６０からＬ型アングル３と平行に延出されて足場板を支持する足場板支持材６３とから構成されている。
保持枠６０は、鋼板により作製され、Ｌ型アングル３の水平片３ａを挿入するための溝６１ａが設けられた断面コ字状の把持部６１と、把持部６１の下方から外方に延設され、Ｌ型アングル３の鉛直片３ｂの先端部を受ける支持腕６２と、把持部６１の端面に回動可能に装着され、溝６１ａ内に挿入されたＬ型アングル３の水平片３ａを噛んでＬ型アングル３の抜けを阻止する固定手段としての偏心カム２４とを備えている。
また、足場板支持材６３は、鋼材からＬ字状に作製されている。この足場板支持材６３の一端部には、手すり支持用の貫通穴６３ａが形成されている。
そして、ラック用仮設足場材１０２は、保持枠６０を足場板支持材６３の他端側に溶接部６４で溶接し、一体に構成されている。
【００４０】
このように構成されたラック用仮設足場材１０２は、まず保持枠６０が、Ｌ型アングル３の水平片３ａが溝６１ａ内に納まるように、水平片３ａの先端側からＬ型アングル３に押し付けて装着される。この時、偏心カム２４が水平片３ａに噛み合って締着固定され、保持枠６０の抜けが阻止されている。また、支持腕６２の先端面が鉛直片３ｂの先端部に当接し、保持枠６０のＬ型アングル３周りの回動が阻止されている。そして、保持枠６０を水平片３ａに装着することにより、足場板支持材６３がケーブルラック１の一側に延出している。さらに、手すり用支柱が足場板支持材５５の貫通孔６３ａに挿入固定される。
このラック用仮設足場材１０２は、ケーブルラック１の延設経路に沿って所定間隔毎に仮設し、足場板を隣り合うラック用仮設足場材１０２に架設する。ついで、足場板を足場板支持材６３に固定し、さらに、手すり用管材を隣り合う手すり用支柱間に架設して、足場がケーブルラック１の延設経路に沿って中空に仮設される。
【００４１】
この実施の形態３においては、鋼材を用いてラック用仮設支持材１０２を作製しているので、軽量化が図れない点、また保持枠６０と足場板支持材６３とが溶接一体化されているので、足場板支持材６３の延出方向が固定されてしまうという点を除いて、上記実施の形態１と同様の効果が得られる。
また、保持枠６０と足場板支持材６３とが一体に構成されているので、部品点数が削減され、組立性が向上される。
【００４２】
実施の形態４．
図８はこの発明の実施の形態４に係るラック用仮設足場材を示す斜視図である。
図８において、ラック用仮設足場材１０４は、Ｌ型アングル３に取り付けられる保持枠６０が鋼材で作製された中空角材の足場板支持材６５の一端側の両側に溶接部６４で溶接一体化されて構成されている。
従って、この実施の形態４においても、上記実施の形態３と同様の効果が得られる。
なお、この実施の形態４は、上記実施の形態３に比べて、保持枠６０が足場板支持材６５の両側に設けられているので、Ｌ型アングルの方向に関わらずケーブルラックからの足場支持材６５の延出方向を選択することができるものの、さらに重量が増加してしまうという不具合がある。
【００４３】
実施の形態５．
上記実施の形態１では、固定手段として偏心カム２４を用いるものとしているが、この実施の形態５では、図９に示されるように、固定手段としてコ字状断面の把持部２２の下片２２ｂに螺着された固定ねじ６６を用いるものとしている。この実施の形態５では、Ｌ型アングル３の水平片３ａを把持部２２の溝２２ａ内に挿入した後、固定ねじ６６を締着することにより水平片３ａを把持部２２に固定できるので、上記実施の形態１と同様の効果が得られる。
【００４４】
実施の形態６．
上記実施の形態１では、固定手段として偏心カム２４を用いるものとしているが、この実施の形態６では、図１０に示されるように、固定手段としてコ字状断面の把持部２２の上片２２ｃに挿通された固定ピン６７を用いるものとしている。
この実施の形態６では、Ｌ型アングル３の水平片３ａを把持部２２の溝２２ａ内に挿入した後、固定ピン６７を把持部２２の上片２２ｃに装着することにより固定ピン６７の突出部によりＬ型アングル３の抜けが阻止されるので、上記実施の形態１と同様の効果が得られる。
【００４５】
実施の形態７．
図１１はこの発明の実施の形態７に係るラック用仮設足場材に適用される保持枠を示す正面図、図１２は図１１のＸＩＩ−ＸＩＩ矢視断面図である。
図１１および図１２において、コ字状に成形された支持板６８が保持部２１の把持部２２の下部に取付ねじ６９ａにより締着固定され、コ字状に成形された２つの枠体７０が支持板６８の外周面に並んで取付ねじ６９ｂにより締着固定されている。さらに、先端部を傾斜面７１ａとする固定手段としての固定片７１が２つの枠体７０内にそれぞれ出没自在に収納され、ばね７２が２つの枠体７０の底部にそれぞれ配設されている。また、支持板６８の両側辺を切り欠いてＬ型アングル３の鉛直片３ｂの先端部を受ける受部６８ｂが形成されている。従って、支持板６８が支持腕に相当する。
なお、他の構成は上記実施の形態１と同様に構成されている。
【００４６】
この実施の形態７では、保持枠２０が、Ｌ型アングル３の水平片３ａを溝２２ａ内に納めるように、水平片３ａの先端側からＬ型アングル３に押し付けられる。この時、固定片７１の傾斜面７１ａがＬ型アングル３の鉛直片３ｂの先端部により押圧され、固定片７１がばね７２の付勢力に抗して枠体７０内に押し込まれる。そして、Ｌ型アングル３の鉛直片３ｂの先端部が傾斜面７１ａを乗り越えると、固定片７１がばね７２の付勢力により枠体７０から延出する。そこで、Ｌ型アングル３の水平片３ａが把持部２２内に収納され、鉛直片３ｂの先端部が受部６８ａと固定片７１とにより挟み込まれ、Ｌ型アングル３と保持枠２０とが固定される。
また、固定片７１を枠体７０内に押し込むことにより、Ｌ型アングル３と保持枠２０との固定が解除され、保持枠２０を取り外すことができる。
【００４７】
このように、この実施の形態７においても、Ｌ型アングル３の水平片３ａの把持部２２からの抜けが阻止されるので、即ち水平片３ａを把持部２２に固定できるので、上記実施の形態１と同様の効果が得られる。
また、スパナ等の手工具を用いることなくワンタッチで保持枠２０をＬ型アングル３に着脱できるので、保持枠２０の取付、取り外しの作業負荷が著しく軽減できるとともに、作業者が腰ベルト等に手工具を持つ必要がなく、高所での保持枠２０の取付、取り外しの作業性を向上させることができる。
【００４８】
また、上記各実施の形態において、偏心カム２４、固定ねじ６６、固定ピン６７あるいは固定片７１を固定手段として用いているが、固定手段はこれらに限定されるものではなく、Ｌ型アングル３の水平片３ａを把持部２２に固定できるものであればよい。
【００４９】
実施の形態８．
図１３はこの発明の実施の形態８に係るラック用仮設足場材の保持枠を示す側面図である。
図１３において、支持腕２６は、保持部２１の一側側面から外方に延設された横架部２６ｂと、この横架部２６ｂの先端から溝２２ａの深さ方向に略直交するように延設された受部２６ａとから構成されている。この受部２６ａは把持部２２の下片２２ｂの先端に連結されており、支持腕２６と下片２２ｂとが一体に作製されている。そして、このように構成された保持枠２０Ａもアルミの引き抜き加工により作製されている。なお、他の構成は上記実施の形態１と同様に構成されている。
【００５０】
このように構成された保持枠２１Ａは、受部２６ａがＬ型アングル３の鉛直片３ｂに当接するまで、溝２２ａ内にＬ型アングル３の水平片３ａを押し込んで、Ｌ型アングル３に装着される。これにより、偏心カム２４が水平片３ａに噛み合って保持枠２０Ａの抜けが阻止され、受部２６ａが鉛直片３ｂの内壁面全体に当接して保持枠２０Ａの図１３中時計回りに回動が阻止されるので、安定した保持枠２０Ａの装着が実現できる。
【００５１】
なお、上記実施の形態８では、支持腕２６、下片２２ｂおよび保持部２１により囲まれた領域を中空にするものとしているが、支持腕２６、下片２２ｂおよび保持部２１により囲まれた領域を中実としてもよい。この場合、材料費が高くなるとともに重量が重くなるという欠点はあるが、大強度が得られ、より安定した保持枠２０Ａの装着が実現できる。
【００５２】
実施の形態９．
図１４はこの発明の実施の形態９に係るラック用仮設足場材の保持枠を示す側面図である。
図１４において、支持腕２６Ａは、保持部２１の一側側面から外方に延設された横架部２６ｂと、下片２２ｂとＬ字状に一体に形成された受部２６ａとから構成されている。そして、保持部２１の長さ方向に沿った溝２７ａ、２７ｂが、保持部２１の下片２２ｂとの連結部と、横架片２６ｂの受部２６ａとの連結部とに、それぞれ延設され、受部２６ａと下片２２ｂとのＬ字状の一体物が、溝２７ａ、２７ｂに差し込まれ、その後溶接等により一体化されて保持枠２０Ｂが作製されている。そして、この保持枠２０Ｂもアルミの引き抜き加工により作製されている。
【００５３】
この実施の形態９では、受部２６ａと下片２２ｂとがＬ字状に一体物として作製されている点を除いて、上記実施の形態８と同様に構成されているので、上記実施の形態８と同様の効果が得られる。
【００５４】
実施の形態１０．
図１５はこの発明の実施の形態１０に係るラック用仮設足場材の保持枠を示す側面図、図１６はこの発明の実施の形態１０に係るラック用仮設足場材の保持枠を示す上面図、図１７はこの発明の実施の形態１０に係るラック用仮設足場材の保持枠を示す斜視図、図１８はこの発明の実施の形態１０に係るラック用仮設足場材の保持枠のＬ型アングルへの装着動作を説明する正面図である。
図１５〜図１８において、保持部２１の一側側面から外方に延設された横架部２６ｂと、横架部２６ｂの先端部から溝２２ａの深さ方向と略直交するように延設されて下片２２ｂに連結された受部２６ａとからなる支持腕２６が保持部２１に一体に設けられている。さらに、第１の取付片２８が横架片２６ｂの先端から下方に、かつ、溝２２ａの長さ方向と平行に延設され、第２の取付片２９が保持部２１から下方に、かつ、第１の取付片２８と平行に延設されている。
【００５５】
Ｌ字状の操作ハンドル８０が保持部２１側から第１および第２の取付片２８、２９を溝２２ａの深さ方向に貫通して回動自在に配設されている。そして、短尺の平板状の第１の押さえ板８１が、その一端側を第１の取付片２８からの操作ハンドル８０の延出端８０ａ（第１の軸）に固着されて、第１の取付板２８に取り付けられている。また、短尺の平板状の第２の押さえ板８２が、その一端側を操作ハンドル８０の延出端８０ａから溝２２ａの長さ方向に所定距離離れて第１の取付片２８に立設された軸９０（第２の軸）周りに回動自在に取り付けられている。さらに、平板状の連結板８３が、その両端をそれぞれ第１および第２の押さえ板８１、８２に立設された軸９１、９２周りに回動自在に取り付けられて、第１および第２の押さえ板８１、８２を連結している。
係止片８１ａ、８２ａが第１および第２の押さえ板８１、８２の他端に固着されている。そして、係止穴８５、８６がそれぞれ延出端８０ａと軸９０とに対応するように把持部２２の上片２２ｃに穿設されている。これらの係止穴８５、８６は、係止片８１ａ、８２ａが挿通される大径穴８５ａ、８６ａと、大径穴８５ａ、８６ａに連なって形成され、第１および第２の押さえ板８１、８２の他端側が挿通される小径穴８５ｂ、８６ｂとから構成されている。
ここで、第１および第２の取付片２８、２９、操作ハンドル８０、第１および第２の押さえ板８１、８２、連結板８３、係止片８１ａ、８２ａおよび係止穴８５、８６から固定手段が構成されている。
【００５６】
つぎに、このように構成された保持枠２１ＣのＬ型アングル３への装着方法について図１８を参照しつつ説明する。
まず、操作ハンドル８０を図１８中反時計回りに回動させて、第１および第２の押さえ板８１、８２を図１８中点線で示される位置まで回動させる。ついで、保持枠２１Ｃは、受部２６ａがＬ型アングル３の鉛直片３ｂに当接するまで、溝２２ａ内にＬ型アングル３の水平片３ａを押し込む。そこで、操作ハンドル８０を図１８中時計回りに回動させる。この操作ハンドル８０の回動操作により、第１および第２の押さえ板８１、８２が延出端８０ａおよび軸９０周りに図１８中時計回りに回動される。そして、係止片８１ａ、８２ａが係止穴８５、８６の大径穴８５ａ、８６ａを通過し、ついで第１および第２の押さえ板８１、８２の他端側が小径穴８５ｂ、８６ｂ内に挿入されて、第１および第２の押さえ板８１、８２が図１８中実線で示される位置を採る。この時、係止片８１ａ、８２ａが把持部２２の上片２２ｃの上面と弾性的に係合し、第１および第２の押さえ板８１、８２の延出端８０ａおよび軸９０を中心とする図１８中反時計回りに回動が阻止される。同時に、第１および第２の押さえ板８１、８２がＬ型アングル３の鉛直片３ｂの外面に密接して、保持枠２０Ｃの抜けが阻止され、保持枠２１ＣがＬ型アングル３に装着される。
また、操作ハンドル８０を反時計回りに回動させ、第１および第２の押さえ板８１、８２を図１８中点線で示される位置に戻すことで、保持枠２０ＣをＬ型アングル３から取り外すことができる。
【００５７】
このように保持枠２１ＣがＬ型アングル３に装着された後、上記実施の形態１で説明したように、足場板支持材３０を保持枠２０Ｃの保持部２１の挿入孔２１ａに挿入し、固定ねじ２５を締着して、ラック用仮設足場材が仮設される。
【００５８】
従って、この実施の形態１０においても、上記実施の形態１と同様の効果が得られる。
この実施の形態１０においては、Ｌ型アングル３の水平片３ａおよび鉛直片３ｂの内壁面が下片２２ｂおよび受部２６ａで構成されるＬ字状の外壁面に密接状態で受けられるので、保持枠２０ＣがＬ型アングル３に安定した状態で装着される。
そして、作業者がラック用仮設足場材に架設された足場材に載って作業する際に、保持枠２０ＣにＬ型アングル３を中心に図１５中時計回りに回動する力が作用するが、該力は受部２６ａが鉛直片３ｂに当接して受けられ、保持枠２０Ｃの抜けが阻止される。さらに、第１および第２の押さえ板８１、８２がＬ型アングル３の鉛直片３ｂに密接して上片２２ｃに係止されているので、作業時に保持枠２０Ｃに作用するＬ型アングル３を中心に図１５中時計回りに回動する力は第１および第２の押さえ板８１、８２により受けられ、保持枠２０Ｃの抜けが阻止される。従って、より安定した強固な保持枠２０ＣのＬ型アングル３への装着が実現できる。
また、スパナ等の手工具を用いることなくワンタッチで保持枠２０ＣをＬ型アングル３に着脱できるので、保持枠２０Ｃの取付、取り外しの作業負荷が著しく軽減できるとともに、作業者が腰ベルト等に手工具を持つ必要がなく、高所での保持枠２０Ｃの取付、取り外しの作業性を向上させることができる。
【００５９】
なお、上記実施の形態１０では、第１および第２の押さえ板８１、８２が平板状に作製されているものとしているが、第１および第２の押さえ板８１、８２の一部を保持部２１側に突出するように作製してもよい。この場合、第１および第２の押さえ板８１、８２の突出部がＬ型アングル３の鉛直片３ｂを弾性的に押圧するので、保持枠２０ＣとＬ型アングル３とのガタツキがなくなり、保持枠２０ＣをＬ型アングル３に確実に装着できるようになる。
また、上記実施の形態１０では、操作ハンドル８０の延出端８０ａを第１の押さえ板８１の第１の取付片２８に対する回転軸としているが、第１および第２の押さえ板８１、８２を第１の取付片２８に立設された軸周りにそれぞれ回動自在に取り付け、操作ハンドルを第１の押さえ板８１もしくは第２の押さえ板８２に立設し、該操作ハンドルにより第１および第２の押さえ板８１、８２を軸周りに回動させるようにしてもよい。
【００６０】
なお、上記各実施の形態では、保持部２１の内周壁面にスライドレール２１ｂ〜２１ｅを形成するものとしているが、スライドレール２１ｂ〜２１ｅを保持枠２１の内周壁面に設ける必要はなく、例えば保持枠の内周面を平坦な矩形形状に形成してもよい。この場合、足場板支持材を平坦な外周面を有する矩形断面形状に形成でき、即ちスライドレールに嵌合する溝が不要となり、足場板支持材の作製が容易となり、その分低価格化が図られる。
【００６１】
【発明の効果】
この発明は、以上のように構成されているので、以下に記載されるような効果を奏する。
【００６２】
この発明によれば、所定間隙毎に吊設されてその水平片によりケーブルラックを支持するＬ型アングルに装着されるラック用仮設足場材であって、上記Ｌ型アングルの水平片が内部に挿入されるコ字状断面の把持部を有する保持枠と、上記水平片が上記把持部に挿入された上記Ｌ型アングルを上記保持枠に固定する固定手段と、上記保持枠から上記水平片と平行に上記ケーブルラックの少なくとも一側に延出する足場板支持材とを備えたので、Ｌ型アングルを利用して空中に足場を設置できるようになり、工費の削減が図られ、人や車の通路が確保されるとともに、他の工事への障害が抑えられるラック用仮設足場材を得ることができる。
【００６３】
また、上記保持枠は、上記足場板支持材が挿入される挿入孔を有する筒状の保持部と、コ字状溝の長さ方向が上記挿入孔の孔中心と平行となるように上記保持部の一側上部に一体に形成された上記把持部とを有するので、足場板支持材の延出方向が任意に設定でき、ケーブルラックが壁際に延設されている場合やＬ型アングルの向きに拘わらず適用することができる。
【００６４】
また、上記保持枠は、上記保持部の一側に一体に形成され、上記水平片を上記把持部に挿入された上記Ｌ型アングルの鉛直片の先端部を支持する支持腕を備えているので、保持枠のＬ型アングル周りの回動が阻止され、安定性の向上が図られる。
【００６５】
また、上記保持枠は、上記保持部の一側に一体に形成され、上記把持部のコ字状溝の深さ方向と略直交する面を有する受部がその先端部に設けられ、上記水平片を上記把持部に挿入された上記Ｌ型アングルの鉛直片の内壁面を該受部で受けて該Ｌ型アングルを支持する支持腕を備えているので、Ｌ型アングルの鉛直片の内壁面が受部で受けられ、保持枠のＬ型アングル周りの回動が確実に阻止され、安定性の向上が一層図られる。
【００６６】
また、上記受部と上記把持部の下片とが略Ｌ字状の外径形状を有する一体物に作製されているので、Ｌ型アングルの水平片および鉛直片の内壁面を受部および下片で広範囲にわたって受けることができる。
【００６７】
また、スライドレールが上記保持部の挿入孔の内壁面に長さ方向に延設され、該スライドレールに係合する溝が上記足場板支持材の外壁面に長さ方向に延設されているので、組立性の向上が図られる。
【００６８】
また、上記保持部の挿入孔は矩形断面に形成され、上記スライドレールがこの挿入孔の四辺にそれぞれ形成され、上記足場板支持材は上記挿入孔の内径形状に略一致した外径形状に形成され、上記スライドレールに係合する溝が上記足場板支持材の四辺にそれぞれ形成されているので、挿入孔に挿入された足場板支持材のがらつきが抑えられる。
【００６９】
また、相対する辺に形成された上記スライドレール同士が上記挿入孔の孔中心に対して対称に形成され、かつ、相対する辺に形成された上記溝同士が上記足場板支持材の軸心に対して対称に形成されているので、足場板支持材を１８０度回動させても挿入孔に挿入でき、組立性の向上が図られる。
【００７０】
また、上記保持枠と上記足場板支持材とは、別体で構成され、スライドレールが上記保持枠と上記足場板支持材との一方に長さ方向の全域にわたって形成され、該スライドレールに嵌合する溝が上記保持枠と上記足場板支持材との他方に長さ方向の全域にわたって形成されているので、組立性の向上が図られる。
【００７１】
また、上記保持枠および上記足場板支持材が引き抜き加工材であるので、歩留まりが高まり、低価格化が図られる。
【００７２】
また、上記固定手段は、上記把持部に回動自在に装着された偏心カムであるので、Ｌ型アングルの水平片を把持部に挿入するだけで水平片と把持部とが固定され、組立性の向上が図られる。
【００７３】
また、上記固定手段は、上記支持腕から下方に延設された取付片と、一端側が上記取付片に上記把持部のコ字状溝の深さ方向と平行な第１の軸周りに回動自在に取り付けられた第１の押さえ板と、一端側が上記取付片に上記把持部のコ字状溝の深さ方向と平行で、かつ、該コ字状溝の長さ方向に上記第１の軸から所定距離離れた第２の軸周りに回動自在に取り付けられた第２の押さえ板と、上記第１および第２の押さえ板に立設された軸周りに回動自在に取り付けられて上記第１および第２の押さえ板を連結する連結板と、上記把持部の上片の上記第１および第２の軸に対応する位置にそれぞれ穿設され、上記第１および第２の押さえ板の回動動作時に該第１および第２の押さえ板の他端側が挿通される第１および第２の係止穴と、上記第１および第２の押さえ板の他端に固着され、上記第１および第２の押さえ板の他端側が上記第１および第２の係止穴に挿入されたときに、上記把持部の上片に係合して第１および第２の押さえ板を係止する第１および第２の係止片とを備えているので、第１および第２の押さえ板によりＬ型アングルからの保持枠の抜けが阻止され、保持枠のＬ型アングルへの安定した装着が実現できる。
【００７４】
また、上記第１および第２の押さえ板は、その他端側が上記第１および第２の係止穴に挿入されたときに、上記水平片を上記把持部に挿入された上記Ｌ型アングルの鉛直片を上記保持部側に押圧するように構成されているので、保持枠とＬ型アングルとのがたつきがなくなり、保持枠のより安定した装着が実現できる。
【００７５】
また、上記保持枠と上記足場板支持材とが一体に形成されているので、部品点数の削減が図られる。
【００７６】
また、上記コ字状断面の把持部が上記足場板支持材を挟んで両側に形成されているので、足場板支持材の延出方向が任意に設定できる。
【図面の簡単な説明】
【図１】  この発明の実施の形態１に係るラック用仮設足場材を示す分解斜視図である。
【図２】  この発明の実施の形態１に係るラック用仮設足場材の保持枠を示す側面図である。
【図３】  この発明の実施の形態１に係るラック用仮設足場材における保持枠の装着状態を示す要部側面図である。
【図４】  この発明の実施の形態１に係るラック用仮設足場材の装着状態を示す斜視図である。
【図５】  この発明の実施の形態１に係るラック用仮設足場材に架設された足場板の固定方法を説明する斜視図である。
【図６】  この発明の実施の形態２に係るラック用仮設足場材の構成を示す側面図である。
【図７】  この発明の実施の形態３に係るラック用仮設足場材を示す斜視図である。
【図８】  この発明の実施の形態４に係るラック用仮設足場材を示す斜視図である。
【図９】  この発明の実施の形態５に係るラック用仮設足場材に適用される保持枠を示す側面図である。
【図１０】  この発明の実施の形態６に係るラック用仮設足場材に適用される保持枠を示す側面図である。
【図１１】  この発明の実施の形態７に係るラック用仮設足場材に適用される保持枠を示す正面図である。
【図１２】  図１１のＸＩＩ−ＸＩＩ矢視断面図である。
【図１３】  この発明の実施の形態８に係るラック用仮設足場材に適用される保持枠を示す側面図である。
【図１４】  この発明の実施の形態９に係るラック用仮設足場材に適用される保持枠を示す側面図である。
【図１５】  この発明の実施の形態１０に係るラック用仮設足場材に適用される保持枠を示す側面図である。
【図１６】  この発明の実施の形態１０に係るラック用仮設足場材に適用される保持枠を示す上面図である。
【図１７】  この発明の実施の形態１０に係るラック用仮設足場材に適用される保持枠を示す斜視図である。
【図１８】  この発明の実施の形態１０に係るラック用仮設足場材に適用される保持枠のＬ型アングルへの装着動作を説明する正面図である。
【図１９】  ケーブルラックの設置状態を示す斜視図である。
【図２０】  従来のケーブル布設作業を説明する図である。
【図２１】  ケーブルラックの他の設置状態を示す斜視図である。
【図２２】  ケーブルラックのさらに他の設置状態を示す斜視図である。
【符号の説明】
１  ケーブルラック、３  Ｌ型アングル、３ａ  水平片、３ｂ  鉛直片、２０、２０Ａ、２０Ｂ、２０Ｃ、５０、６０  保持枠、２１、６１  保持部、２１ａ挿入孔、２１ｂ、２１ｃ、２１ｄ、２１ｅ、５１ａ  スライドレール、２２、５２  把持部、２２ａ  溝、２２ｂ  下片、２２ｃ  上片、２３、２６、２６Ａ、５３  支持腕、２４  偏心カム（固定手段）、２６ａ  受部、２８  第１の取付片、２９  第２の取付片、３０、５５、６３、６５  足場板支持材、３０ａ、３０ｂ、３０ｃ、３０ｄ、５５ａ、５５ｂ、５５ｃ、５５ｄ  溝、６６  固定ねじ（固定手段）、６７  固定ピン（固定手段）、６８  支持板（支持腕）、７１固定片（固定手段）、８０ａ  延出端（第１の軸）、８１  第１の押さえ板（固定手段）、８１ａ  第１の係止片（固定手段）、８２  第２の押さえ板（固定手段）、８２ａ  第２の係止片（固定手段）、８３  連結板（固定手段）、８５第１の係止穴（固定手段）、８６  第２の係止穴（固定手段）、９０  軸（第２の軸）、９１、９２  軸、１００、１０１、１０２、１０３  ラック用仮設足場材。
【図１】
0004158873.tif 000002
【図２】
0004158873.tif 000003
【図３】
0004158873.tif 000004
【図４】
0004158873.tif 000005
【図５】
0004158873.tif 000006
【図６】
0004158873.tif 000007
【図７】
0004158873.tif 000008
【図８】
0004158873.tif 000009
【図９】
0004158873.tif 000010
【図１０】
0004158873.tif 000011
【図１１】
0004158873.tif 000012
【図１２】
0004158873.tif 000013
【図１３】
0004158873.tif 000014
【図１４】
0004158873.tif 000015
【図１５】
0004158873.tif 000016
【図１６】
0004158873.tif 000017
【図１７】
0004158873.tif 000018
【図１８】
0004158873.tif 000019
【図１９】
0004158873.tif 000020
【図２０】
0004158873.tif 000021
【図２１】
0004158873.tif 000022
【図２２】
0004158873.tif 000023